(57)【特許請求の範囲】
【請求項１】
便器洗浄タンク側壁に取り付けて回動操作するレバーハンドルと、前記便器洗浄タンク側壁の貫通孔に取り付けられるスパッド本体と、前記スパッド本体内を貫通して配設され略垂直面内で上下方向に作動し一方端部に連結された排水弁を開閉するアームと、前記スパッド本体とレバーハンドルとの間に介設したカバーと、前記カバーの内部に配設して前記レバーハンドルと連結した回動可能なシャフトと、を備え、
前記アームは前記スパッド本体内に略水平方向に配設したアームピンに軸支し前記一方端部とは反対側の他方端部に貫通したピン穴を設け、
前記シャフトは前記スパッド本体側に突出した爪を設け、
前記ピン穴にＬ型ピンの長側を挿通すると共に短側をスパッド本体に係止して、
前記レバーハンドルを回動することにより前記シャフトの爪が前記Ｌ型ピンの長側を押して前記短側を中心として長側が回動し、それに連動して前記アームが作動することを特徴とするレバーハンドル機構。
【請求項２】
請求項１記載のレバーハンドル機構において、前記レバーハンドルの回転範囲領域が前記アームと連動する連動領域と、前記アームと連動しないフリーな非連動領域で構成されていることを特徴とするレバーハンドル機構。
【請求項３】
請求項２記載のレバーハンドル機構において、使用待機時を基準として前記レバーハンドルの一回転方向に前記連動領域を設け、他回転方向に前記非連動領域を設けていることを特徴とするレバーハンドル機構。
【発明の詳細な説明】
【０００１】
【発明の属する技術分野】
洗浄水を蓄えた貯水タンクを有する大便器で、レバーハンドルの操作により前記タンク内に設けられた排水弁を開閉し、大便器ボール部への洗浄水の流出入を制御するレバーハンドル機構に関するものである。
【０００２】
【従来の技術】
図１１、１２、１３に従来のレバーハンドル機構を示す。その機構はタンクＡの取付角穴５０にスパッド本体５１の取付部５１ａを挿入し固定ナット５２でタンクの内側から固定されており、アーム５３は取付部５１ａの略中心に挿入され、スパッド本体５１の内部にピン５４により回転支点を有し、その端部５５がスパッド本体５１の表面から突出するようになっている。レバーハンドル５６は、アーム５３の軸５７とは一定距離偏心した軸５８にて、固定ビス５９によりスパッド本体５１を貫通し、レバーハンドル５６の雌螺子部６０に固定され、軸５８を回転軸として回転方向の自由度を有している。
また、レバーハンドル５６の裏側には、アーム５３の端部５５を収納する収納部６１があり、アーム５３の回転動作はレバーハンドル５６の回転すなわち収納部６１の回転により操作され、その回転角度も収納部６１により規制されている。すなわち、スパッド本体５１のアーム５３を収納しているスペースで規制される回転角度より収納部６１で規制される回転角度が小さい。
初期状態では、アーム５３は自身のバランスにより端部５５を持ち上げ、レバーハンドル５６も端部５５により持ち上げられた状態となっている。洗浄操作の際は、レバーハンドル５６の操作部５６ａを小角度押し下げることにより、端部５５も共に押し下げ、アーム５３はピン５４を支点に略垂直面内で回転し端部６２を持ち上げ、端部６２と連結された排水弁６３を引き上げタンクＡ内の貯水を排出することになる。
【０００３】
【発明が解決しようとする課題】
前記従来のレバーハンドル機構の場合、レバーハンドルの回転操作によりアームが略垂直面内で上下方向に作動し排水弁を開閉させるレバーハンドル機構において、図１４に示すようにデザイン的な要求よりそのレバーハンドル５６の操作部５６ａの形状をレバーハンドル５６の最下端に位置させた場合、そのままでは前述したように操作回転角度は小さく、レバーハンドル５６を操作する際に容易にいっぱいまで回され洗浄操作時にレバーハンドルに過負荷が掛かることになり好ましくない。従来のように略水平方向に操作部５６ａがあり略垂直下方に押し込む方式であれば操作角度が小さくてもよい。
そこで図１５に示すように、収納部６１によるアーム５３の回転角度の規制をやめ、収納部６１のスペースを大きくしレバーハンドル５６とアーム５３が連動しない回転角度領域を確保し、操作時のレバーハンドル５６の回転角度を大きくした場合、レバーハンドル５６の回転軸５８とタンクＡの取付角穴５０の軸５７が偏心しているため、操作時にタンクの取付角穴５０が外観上見えないようにするには、レバーハンドル５６の本体部の大きさは最低その操作角度６４内で、軸５８を中心とし取付角穴５０を覆う半径を持つ円形状の面積を有していなくてはならず、レバーハンドル形状をデザインするにあたり制約を受けることになる。また前述のようにレバーハンドルの操作部を下端に位置させた場合、レバーハンドルの操作回転方向はタンクに向かって手前側に回すと洗浄となるように設定するのが通例である。この時レバーハンドルが逆方向に全く回らなければ、レバーハンドルを足で蹴り押すような異常な行為に対し、レバーハンドルは直接過負荷を受け破損の原因となる恐れがある。
【０００４】
そこで本発明は、レバーハンドルの回転操作によりアームが略垂直面内で上下方向に作動し排水弁を開閉させるレバーハンドル機構において、レバーハンドル形状をデザインする上での制約が従来以上に少なく、よりコンパクトな設計が可能で、且つレバーハンドルに広範囲の作動角度を与えることができ、また異常な操作などによりレバーハンドル機構に過負荷が加わるのを防ぐ機構を備えたレバーハンドル機構を提供することを目的とする。
【０００５】
【課題を解決するための手段及び作用・効果】
請求項１記載のレバーハンドル機構は、便器洗浄タンク側壁に取り付けて回動操作するレバーハンドルと、前記便器洗浄タンク側壁の貫通孔に取り付けられるスパッド本体と、前記スパッド本体内を貫通して配設され略垂直面内で上下方向に作動し一方端部に連結された排水弁を開閉するアームと、前記スパッド本体とレバーハンドルとの間に介設したカバーと、前記カバーの内部に配設して前記レバーハンドルと連結した回動可能なシャフトと、を備え、前記アームは前記スパッド本体内に略水平方向に配設したアームピンに軸支し前記一方端部とは反対側の他方端部に貫通したピン穴を設け、前記シャフトは前記スパッド本体側に突出した爪を設け、前記ピン穴にＬ型ピンの長側を挿通すると共に短側をスパッド本体に係止して、前記レバーハンドルを回動することにより前記シャフトの爪が前記Ｌ型ピンの長側を押して前記短側を中心として長側が回動し、それに連動して前記アームが作動することを特徴とする。このような構成とすることで、レバーハンドルに広範囲の回転角度を与えてもレバーハンドル本体は、前記貫通孔を覆う最小の面積を有していればよく、コンパクトに設計することができる。
【０００６】
請求項２記載のレバーハンドル機構は、前記レバーハンドルの回転範囲領域が前記アームと連動する連動領域と、前記アームと連動しないフリーな非連動領域で構成されていることを特徴とする。
このような構造とすることで、ハンドル操作をする際に実質アームを連動させる領域に達する前に、前記フリーな回転領域を与えることができ、ハンドル操作に必要な回転角度を大きく確保することができる。
【０００７】
請求項３記載のレバーハンドル機構は、使用待機時を基準として前記レバーハンドルの一回転方向に前記非連動領域とを設け、他回転方向に前記非連動領域を設けていることを特徴とする。
このような構造とすることで、レバーハンドルを誤った操作方向に勢い良く回されたり足で蹴り押されるなどした場合、レバーハンドルは前記非連動領域に回転するためその負荷を直接受けることはなく、レバーハンドルの破損防止に繋がる。
【０００８】
【発明の実施の形態】
以下に本発明の実態の形態を添付図面に基づいて説明する。
その構成は、レバーハンドル１、固定ビス２、化粧キャップ３、カバー４、シャフト５、Ｌ型ピン６、スパッド本体７、アーム８、アームピン９、固定ナット１０からなり、図１と図２に分解図を示す。
【０００９】
まず、組立て手順に関し説明する。シャフト５に設けられた回転方向の位置決め用のスプライン５ａ側をカバー４の内側より挿入突出させ、そのスプライン５ａ部と嵌合するスプライン１ａを内部にもったレバーハンドル１を決まった角度に合わせ嵌め込み、スプライン５ａ部の中心部に設けられた雌螺子部５ｂに固定ビス２をレバーハンドル１を貫通させ螺子固定し、化粧キャップ３を固定ビス２の頭部に圧入装着する。この時、カバー４はレバーハンドル１とシャフト５に挟まれることになるが両者に締付けられず、一体となったレバーハンドル１とシャフト５に対し回転方向に自由度を持つ取合いとなっている。
【００１０】
次に、スパッド本体７の後方（図３にて左側）よりアーム８のピン穴１１、１２を備えた側をピン穴１１がスパッド本体７の表面に突出するまで挿入し、アームピン９をピン穴１１に貫通させ、アームピン９を保持したままアーム８を引き戻す（図４）。
【００１１】
次に、ピン穴１２にＬ型ピン６の長側６ａを通し、Ｌ型ピン６の短側６ｂがスパッド本体７の表面で且つ中心水平軸上に中心から一定距離れた個所に設けられたピン穴１３に収まるようにアーム８を引き戻し（図５）、アームピン９をスパッド本体７の内部に設けられた所定の位置にしっかりとスナップフィットさせる。アーム８は、アームピン９を中心として回動可能に軸支されている（図６）。
【００１２】
次に、カバー４の側壁内側に設けられた雌螺子４ａとスパッド本体部７の外周に設けられた雄螺子７ａを螺子結合させ両者を組み付ける。その際、シャフト５の外周部に設けられらた爪１４がＬ型ピン６の長側６ａの上側で且つスパッド本体７に凸形状に設けられたストッパー１６との間に位置するようにする。また前記スパッド本体７とカバー４との螺子結合の向きは、ハンドル操作中の緩み防止のためレバーハンドル１を引き上げ操作する回転方向に対し締め込む向きとなっている。ここまでの組立ては実際に取り付けるタンクには関わらない作業であるので、都合により事前に、また他の場所で済ませておくことが可能である。次にタンクへの取り付けであるが、タンクＡの取付角穴１７にスパッド本体７を外側よりアーム８と共に通し回転方向の位置決めをし、内側より固定ナット１０をアーム８に通しタンクを挟みシャフト７と螺子結合し固定する（図７）。
【００１３】
次に、操作時の機構に関し説明する。図８は操作前の初期位置関係を示す。初期状態では、レバーハンドル１はその自重により最下端に位置し、レバーハンドル１と一体になったシャフト５の爪１４は前述したようにＬ型ピン６の長側６ａの上側で且つスパッド本体７に凸形状に設けられたストッパー１６との間に図の位置にありＬ型ピン６とは接していない。アーム８は略水平方向に配置したアームピン９を中心として回動可能に軸支され、その自重のバランスによりピン穴１２側が持ち上がった状態となり、ピン穴１２にて保持され且つレバーハンドル１の回転軸と略平行な回転軸を有しているＬ型ピン６を持ち上げた状態となっている。また、アーム８の回転中心からレバーハンドル１の回転平面に下ろした法線とレバーハンドル１の回転軸は略同一直線上であると共に、タンクＡの取付角穴１７の略中心に位置している。
【００１４】
図９は洗浄操作でいっぱいまでレバーハンドル１を回したときの状態を示す。レバーハンドル１を回し始めると一定の角度（前記非連動領域）回転したところで爪１４がＬ型ピン６に当り、更にレバーハンドル１を回すと（前記連動領域）Ｌ型ピン６を下方に押し下げ、Ｌ型ピン６はスパッド本体７に設けられた凸形状のストッパー１５に当り停止する。図ではストッパー１５と１６は繋がっっているが、特にそうである必要はない。この時Ｌ型ピン６はピン穴１３を支点に下方向に回転しアーム８を押し下げることになる。アーム８はアームピン９を支点に略垂直面内で回転し、タンク内に位置する他端部を持ち上げ他端部に連結された排水弁を持ち上げ開くことになる。このときアーム８が回転運動する際にその支点がずれないようにアームピン９はスパッド本体７の所定の位置にしっかりとスナップフィット固定され、その位置が滑って移動しないようにしている。
【００１５】
レバーハンドル１をいっぱいに引き上げた後、手を外すとその自重によりレバーハンドルは降下し初期位置に自ら戻る。一方アーム８は爪１４がＬ型ピン６から離れることより、アーム８の自重でピン穴１２側を持ち上げる方向に回転運動し、Ｌ字型ピン６と共に初期位置まで戻ることになる。
【００１６】
図１０は請求項３に関わる説明図である。レバーハンドル１を洗浄操作方向とは逆に回すと（前記非連動領域）、爪１４は図８の初期位置から、Ｌ字型ピン６とは接触しない方向に回り凸形状のストッパー１６に当り止る。この機構のレバーハンドルをタンクに向かってその左側面に取付けた場合、便器に向かって手前側にレバーハンドル１を回すと正規の排水操作となり、逆方向すなわち向こう側にレバーハンドルを回すとハンドル１のみフリーに一定角度回ることになる。
このことは正面からレバーハンドル１を故意に足で蹴り押されたられた場合、ハンドル１が蹴る方向に全く回らないような構造であれば、ハンドル１に過負荷が加わり故障の原因となるが、前記の構造であれば蹴られてもハンドル１は一定角度フリーで回るので直接衝撃が伝わることはなく破損するのを防ぐことができる。
【００１７】
また、ハンドルの操作方向の設定は前記のように便器に向かって手前側となる設定が望ましい。もし、便器に向かって押しやる方向に正規のハンドル操作を設定していた場合、その洗浄操作は足で蹴っても可能となるので好ましくない。
【００１８】
また、レバーハンドルの回転動のアームへの伝達を、ワイヤー、チェーン等の可撓部材を介して行なうこともできる。
【００１９】
【発明の効果】
以上、本発明によれば、レバーハンドルの回転操作によりアームが略垂直面内で上下方向に作動し排水弁を開閉させるレバーハンドル機構において、レバーハンドル形状をデザインする上での制約が従来以上に少なく、よりコンパクトな設計が可能で、且つレバーハンドルに広範囲の作動角度を与えることができ、また異常な操作などによりレバーハンドル機構に過負荷が加わるのを防ぐことが可能となる。
【図面の簡単な説明】
【図１】本発明に係るレバーハンドル機構の分解図（鳥瞰）である。
【図２】本発明に係るレバーハンドル機構の分解図（真横）である。
【図３】本発明に係るレバーハンドル機構の組立て手順を示す図である。
【図４】本発明に係るレバーハンドル機構の組立て手順を示す図である。
【図５】本発明に係るレバーハンドル機構の組立て手順を示す図である。
【図６】本発明に係るレバーハンドル機構の組立て手順を示す図である。
【図７】本発明に係るレバーハンドル機構のタンクへの取付を示す図である。
【図８】本発明に係るレバーハンドル機構を示す断面図である。
【図９】本発明に係るレバーハンドル機構を示す断面図である。
【図１０】本発明に係るレバーハンドル機構を示す断面図である。
【図１１】従来のレバーハンドル機構を備えた大便器の構造を示す図である。
【図１２】従来のレバーハンドル機構の構造を示す図である。
【図１３】従来のレバーハンドルの構造を示す図である。
【図１４】従来のレバーハンドルの構造を示す図である。
【図１５】従来のレバーハンドルの構造を示す図である。
【符号の説明】
Ａ…タンク
１…レバーハンドル
１ａ…位置決め用スプライン
２…固定ビス
３…化粧キャップ
４…カバー
４ａ…雌螺子
５…シャフト
５ａ…位置決め用スプライン
５ｂ…雌螺子部
６…Ｌ型ピン
６ａ…長側
６ｂ…短側
７…スパッド本体
７ａ…雄螺子
８、５３…アーム
９…アームピン
１０…固定ナット
１１…ピン穴
１２…ピン穴
１３…ピン穴
１４…爪
１５、１６…ストッパー
１７…取付角穴
５０…取付角穴
５１…スパッド本体
５２…固定ナット
５３…アーム
５４…ピン
５５、６２…端部
５６…レバーハンドル
５６ａ…操作部
５７、５８…軸
５９…固定ビス
６０…雌螺子部
６１…収納部
【図１】
0003858711.tif 000002
【図２】
0003858711.tif 000003
【図３】
0003858711.tif 000004
【図４】
0003858711.tif 000005
【図５】
0003858711.tif 000006
【図６】
0003858711.tif 000007
【図７】
0003858711.tif 000008
【図８】
0003858711.tif 000009
【図９】
0003858711.tif 000010
【図１０】
0003858711.tif 000011
【図１１】
0003858711.tif 000012
【図１２】
0003858711.tif 000013
【図１３】
0003858711.tif 000014
【図１４】
0003858711.tif 000015
【図１５】
0003858711.tif 000016